(57)【要約】      （修正有）【課題】被マッサージ部分に対して揉み作用を発生させる。【解決手段】棒状のハンドル１１にハンドル取り付け部１４を介して２本の支持軸１２を互いにハの字状となるように設け、この両支持軸にこれを回転中心として指圧ローラ１３をそれぞれ回転可能に取り付ける。ハンドルを被マッサージ部に対向させると、両支持軸が被マッサージ部に対してハの字状となる。ハンドルを被マッサージ部に対向させた状態で、両支持軸１２のハンドル取り付け部側の端部を前にして移動させると、その移動方向に対して各指圧ローラの回転方向が外向きとなっているため、指圧ローラ１３の各突起との接触部分において転動に対して強い抵抗が生じる。この抵抗により、被マッサージ部の表面が両指圧ローラ間に引き寄せられ、被マッサージ部に揉み作用が発生する。【選択図】図１
0003130848.tif 000002
【実用新案登録請求の範囲】
【請求項１】
ハンドル(１１)に２本の支持軸(１２)を互いにハの字状となるように設け、この両支持軸(１２)にこれを回転中心として指圧ローラ(１３)をそれぞれ回転可能に取り付けたマッサージ具。
【請求項２】
上記両支持軸(１２)は、上記ハンドル(１１)にハンドル取り付け部(１４)を介して設けられたものであり、前記ハンドル取り付け部(１４)が前記ハンドル(１１)に対して回転可能に取り付けられた請求項１に記載のマッサージ具。
【請求項３】
上記各指圧ローラ(１３)は、その外周面に複数の突起(２１)を有する請求項１または２のいずれかに記載のマッサージ具。
【請求項４】
上記各指圧ローラ(１３)の突起(２１)は、その突出高さが上記各支持軸(１２)の上記ハンドル取り付け部(１４)側の端部から先端部に向かって次第に高く形成されたものである請求項１から３のいずれかに記載のマッサージ具。
【考案の詳細な説明】
【技術分野】
【０００１】
この考案は、身体の凝った部分を指圧してマッサージする指圧ローラを備えたマッサージ具に関する。
【背景技術】
【０００２】
一般に、身体の凝った部分を指圧してマッサージするために、手に持って使用することで手軽に指圧効果を得られる指圧ローラを備えたマッサージ具が用いられている。この指圧ローラを備えたマッサージ具として、従来から、ハンドルにハンドル取り付け部を介して支持軸が設けられ、この支持軸にこれを回転中心として回転可能に指圧ローラを取り付け、この指圧ローラの外周面に多数の突起を放射状に設けたもの（例えば、特開平９−２７１５００号公報  図１参照）が知られている。
【０００３】
上記マッサージ具は、そのハンドルを手に持ち、その指圧ローラの突起を身体の凝った部分の表面に押し付けながらその表面に沿って移動させると、指圧ローラが転動し、各突起が凝った部分の表面を順次押圧して指圧効果が得られるものである。
【考案の開示】
【考案が解決しようとする課題】
【０００４】
上記マッサージ具は、通常、被マッサージ部分の表面に沿って移動させるが、その移動方向と指圧ローラの転動の向きが同じである。このため、被マッサージ部分に対して、単に、指圧ローラの突起による指圧効果のみしか得られず、揉み作用を発生させることが難しい。
【０００５】
そこで、この考案は、被マッサージ部分に対して揉み作用を発生させることを課題とする。
【課題を解決するための手段】
【０００６】
上記の課題を解決するために、この考案は、ハンドルに２本の支持軸を互いにハの字状となるように設け、この両支持軸にこれを回転中心として指圧ローラをそれぞれ回転可能に取り付けた構成を採用したのである。
【０００７】
この構成によると、両指圧ローラを被マッサージ部分に押し当て、マッサージ具を移動させると、マッサージ具の移動方向に対して両指圧ローラの回転軸（支持軸）がハの字となるため、マッサージ具の移動に伴って両指圧ローラにその転動に対する強い抵抗が発生し滑りを伴う転動が起こる。
【０００８】
この転動により、被マッサージ部分の表面が両指圧ローラ間の中央側へ引き寄せられ、この引き寄せによって、両指圧ローラが被マッサージ部の筋肉をはさみ込み、マッサージ具をさらに移動させると、このはさみ込まれた筋肉が両指圧ローラ間を脱して、元の状態に戻るので、被マッサージ部分に対して揉み作用が発生し、マッサージ効果を得ることができる。
【０００９】
また、上記両支持軸は、上記ハンドルにハンドル取り付け部を介して設けられたものであり、前記ハンドル取り付け部が前記ハンドルに対して回転可能に取り付けられた構成を採用すれば、両指圧ローラを被マッサージ部分に軽く押し当てた状態で、ハンドルを持ちやすい角度に回転させて、マッサージすることができる。
【００１０】
上記各指圧ローラは、その外周面に複数の突起を有するものとすると、指圧ローラの転動に伴いその各突起が被マッサージ部分の表面を順次押し付けるので、その表面に対して押し付け力（指圧力）の強弱が得られ、指圧効果を高めることができる。
【００１１】
さらに、上記各指圧ローラの突起は、その突出高さが上記各支持軸の上記ハンドル取り付け部側の端部から先端部に向かって次第に高く形成されたものを採用することができる。このようにすれば、両指圧ローラを被マッサージ部分に当てがうと、指圧ローラの、支持軸の先端側に配置されている突起が、支持軸のハンドル取り付け部側に配置されている突起よりも、被マッサージ部分に対する押し付け長さ（押し付け量）が大きくなる。
【００１２】
この状態で、マッサージ具を移動させると、被マッサージ部分は、その表面に対する押し付け量が大きい指圧ローラの先端部分から、押し付け量の小さい両指圧ローラ間の中央側へ引き寄せられる。この被マッサージ部の引き寄せにより、揉み作用を効果的に行うことができ、さらに大きいマッサージ効果を得られる。
【００１３】
また、両指圧ローラを腕やふくらはぎなどの被マッサージ部に当てがうと、被マッサージ部の表面の湾曲に沿って、指圧ローラの各突起が押し付けられるので、被マッサージ部のより広い範囲をマッサージすることができる。
【考案の効果】
【００１４】
以上のように、この考案のマッサージ具は、その移動に伴って、被マッサージ部分を両指圧ローラの先端部分からハンドル取り付け部側に向かって引き寄せて、被マッサージ部に対して揉み作用を発生させるので、マッサージ効果を高めることができる。
【考案を実施するための最良の形態】
【００１５】
以下、添付図面に基づいてこの考案の実施形態を説明する。
この考案の実施形態のマッサージ具を添付図面図１から図８に示す。この実施形態のマッサージ具１０は、図１に示すように、棒状のハンドル１１と、このハンドル１１の先端部にハンドル取り付け部１４を介して二股状に設けた２本の支持軸１２、１２と、この両支持軸１２、１２にこれを回転中心としてそれぞれに回転可能に取り付けた指圧ローラ１３とから構成される。
【００１６】
上記ハンドル１１は、図２に示すように、合成樹脂製の棒状体であり、その外面に滑り止め凹部１５が複数形成されており、この各滑り止め凹部１５に指を添えてハンドル１１をしっかり握ることができる。
【００１７】
このハンドル１１の一端部には、各滑り止め凹部１５側に開口する円筒状のヘッド部１６が一体に設けられ（図４参照）、このヘッド部１６に上記ハンドル取り付け部１４が回転可能に取り付けられる。なお、ハンドル取り付け部１４のハンドル１１に対する取り付けについての詳細は後述する。
【００１８】
上記ハンドル取り付け部１４は、図４に示すように、棒状の基部１７と、この基部１７に固定される円盤状の座板１８とから構成される。この基部１７は、その一端部に上記２本の支持軸１２、１２が二股状に固定され（図１参照）、他端部に座板１８の外周面が角度γをもって固定されている。
【００１９】
また、上記ハンドル取り付け部１４の基部１７は、図２に示すように、両支持軸１２、１２を含む平面Ｐに対して角度βをもって立ち上がるように固定されている。
【００２０】
上記の角度β（平面Ｐと基部１７のなす角度）および角度γ（基部１７と座板１８のなす角度）は、例えば、角度βを４５度〜６０度に、角度γを３０度〜４５度に設定される。
【００２１】
上記のように設定することにより、図６に示すように、マッサージ具１０の使用時に、ハンドル１１を被マッサージ部２０に対向させると、両支持軸１２、１２が被マッサージ部２０に対してハの字状となり、この両支持軸１２、１２の両指圧ローラ１３がハの字状となる。これにより、両指圧ローラ１３をハの字状となるように被マッサージ部２０に押し当てることができる。
【００２２】
また、上記ハンドル取り付け部１４を介して設けられる両支持軸１２は、図３（ａ）に示すように、ハンドル取り付け部１４に対して二股状に所定の開き角度αをもってハの字状に固定される。このように両支持軸１２、１２が固定されれば、例えば、マッサージ具１０を太腿や上腕などに使用する際、太腿などの表面に沿ってそれぞれの指圧ローラ１３を当てがうことが可能となる。なお、前記開き角度αは適宜設定されるが、例えば、１２０度〜１５０度に設定すれば、被マッサージ部２０として比較的太い部位である太腿や、あるいは比較的細い部位である前腕にそれぞれ対応して、これらの表面の湾曲に沿って両指圧ローラ１３、１３を押し付けることが可能となる。
【００２３】
上記両支持軸１２に取り付けられる指圧ローラ１３は、円筒状に形成され、前記支持軸１２にこれを回転中心にして回転可能に通したものである。また、それぞれの指圧ローラ１３の支持軸１２先端部側の端面には留め具１９が挿し込まれ、指圧ローラ１３が支持軸１２から抜け出ないようになっている。
【００２４】
この各指圧ローラ１３の外周面には、図３（ｂ）に示すように、先端が半球状の突起２１が複数設けられたものである。この突起２１は、指圧ローラ１３の径方向外向きの４箇所に設けられ、この４箇所の突起２１が、指圧ローラ１３の長さ方向に周方向４５度ずつずれた状態に等間隔で配置されている。なお、この突起２１は、指圧ローラ１３の一断面において４箇所設けられているが、これに限らず、指圧ローラ１３の転動がスムーズに行われる限りにおいて、３箇所、５箇所、６箇所・・等と任意である。
【００２５】
また、各突起２１の突出する高さが、支持軸１２のハンドル取り付け部１４側端部から先端部に向かって次第に高く形成されている。このため、支持軸１２の先端部の突起２１の突出高さｄが、ハンドル取り付け部１４寄りの突起２１の突出高さｃよりも高くなる。
【００２６】
上記突起２１の突出高さを高く形成することにより、両指圧ローラ１３を腕やふくらはぎなどの被マッサージ部分に当てがうと、被マッサージ部の表面に沿って、指圧ローラ１３の各突起２１が押し付けられるので、被マッサージ部分２０のより広い範囲を指圧することができる（図８中の矢印ｈ参照）。
【００２７】
また、両指圧ローラ１３を被マッサージ部２０に押し付ければ、指圧ローラ１３の、支持軸１２の先端側に配置されている突起２１が、支持軸１２のハンドル取り付け部１４側に配置されている突起２１よりも、被マッサージ部分に対する押し付け量（押し付け長さ）が大きくなる。
【００２８】
この両指圧ローラ１３の押し付け状態で、マッサージ具１０を移動させると、被マッサージ部２０は、その表面に対する押し付け量が大きい指圧ローラ１３の先端部分から、押し付け量の小さい両指圧ローラ１３間（ハンドル取り付け部１４寄り）の中央側へ引き寄せられる。この被マッサージ部２０の引き寄せにより、揉み作用を効果的に発生させることができる。
【００２９】
上記ハンドル取り付け部１４のハンドル１１に対する取り付けを図４、図５に示す。ハンドル１１のヘッド部１６は、図４に示すように、その内部に内周面にねじ溝を有する円筒状のねじ部２２がヘッド部１６と同心状に形成されたものである。そのねじ部２２は、その端部がヘッド部１６の端面よりも突出し、その外周面の長さ方向の４箇所に断面角形のストッパー２３ａ、２３ｂが等間隔に形成されている。
【００３０】
これらのストッパーのうち、ねじ部２２に対して径方向反対側に形成された一方の対のストッパー２３ａ（図４中の左右一対のもの）の端面が、図５に示すように、ヘッド部１６の端面よりも外向きに突き出し、かつねじ部２２の端面よりも内側に位置している。また、他方の対のストッパー２３ｂ（図４中の上下一対のもの）の端面が、ヘッド部１６の端面と一致している。
【００３１】
一方、ハンドル取り付け部１４の座板１８は、中心部に取り付け孔３０を有し、その一端面に円形凹部２４が形成されており、その円形凹部２４の外周部の全周に径方向外向きの円弧状の係合凹部が多数形成されている。
【００３２】
また、上記円形凹部２４には、弾性を有する合成樹脂製の爪付き円板２５が嵌められ、この爪付き円板２５は、その外周面の径方向の反対側に円弧状の爪２６を有する。この両爪２６の径方向内側に円弧状の切り抜きが形成され、両爪２６が弾性により径方向に移動可能となっている。
【００３３】
また、この爪付き円板２５は、その中心にフランジ付きのボルト２７を挿通する孔２８を有し、この孔２８にヘッド部１６のねじ部２２のストッパー２３ａと係合する切り欠き２９が直径方向の反対側にそれぞれ形成されている。
【００３４】
上記爪付き円板２５を、その孔２８の切り欠き２９とヘッド部１６のストッパー２３ａとを係合させ、ヘッド部１６に保持させる。この保持状態でヘッド部１６にハンドル取り付け部１４の座板１８を突き合わせると、円形凹部２４に爪付き円板２５が嵌まって、円形凹部２４の係合凹部に爪付き円板２５の爪２６が嵌まる。
【００３５】
この突き合わせ状態において、上述のようにねじ部２２の端部がヘッド１６の端面よりも外側に突き出すように形成されているので、座板１８の取り付け孔３０からねじ部２２が突き出す。
【００３６】
この突き出したねじ部２２にボルト２７を締め付けると、ハンドル取り付け部１４の座板１８とヘッド部１６とが互いにねじ止めされず、ハンドル１１がハンドル取り付け部１４の座板１８の端面の直交軸を回転中心に回転可能に取り付けられる。
【００３７】
また、ハンドル１１の回転に伴い、爪付き円板２５の爪２６が径方向に弾性変形しながら座板１８周縁に多数設けられた係合凹部に噛み合う。この噛み合せにより、ハンドル１１の回転時に抵抗が生じ、マッサージ具１０を使用する際、ハンドル取り付け部１４に対してハンドル１１の角度を維持することができる。
【００３８】
これにより、図６に示すように、上記両支持軸１２が設けられたハンドル取り付け部１４とハンドル１１とを互いに相対回転させることができるので、両指圧ローラ１３を被マッサージ部２０に軽く押し当てた状態で、ハンドル１１を持ちやすい角度に回転させて、マッサージ具１０を移動させることができる（図７参照）。
【００３９】
以上のように、この実施形態のマッサージ具１０は構成され、以下にその作用を説明する。
まず、マッサージ具１０のハンドル１１を持って、図７に示すように、両指圧ローラ１３を上腕などの被マッサージ部２０に軽く押し当て、ハンドル１１が被マッサージ部２０に対して対向するようにハンドル１１の傾きを変える。ハンドル１１の傾きを変えると、両指圧ローラ１３は、被マッサージ部２０に対してハの字状となる。この状態で、両支持軸１２のハンドル取り付け部１４側の端部を前にしてマッサージ具１０を移動させると、両指圧ローラ１３は、その各突起２１の被マッサージ部２０に対する接触抵抗によって転動しようとする。
【００４０】
このとき、図６に示すように、両指圧ローラ１３は、被マッサージ部２０に対してハの字状となっており、それぞれの転動しようとする方向（矢印ｆ参照）は、マッサージ具１０の移動方向（矢印ｅ参照）に対して外向き（遠ざかる方向）となっている。このため、マッサージ具１０を移動させると、指圧ローラ１３の各突起２１と被マッサージ部２０との接触部分において両指圧ローラ１３の転動に対して強い抵抗が生じて滑りを伴った転動が起こる。
【００４１】
この転動に対する強い抵抗により、図８に示すように、被マッサージ部２０の表面が両指圧ローラ１３、１３の中央側（ハンドル取り付け部１４側）に引き寄せられ（矢印ｇ参照）、この引き寄せに伴って両指圧ローラ１３、１３が被マッサージ部２０の筋肉を挟む。
【００４２】
この挟まれた筋肉は、両指圧ローラ１３、１３により適度に圧迫され、マッサージ具１０をさらに移動させると、両指圧ローラ１３、１３の間を脱して元の状態に戻る。このようにして、被マッサージ部２０に揉み作用を発生させることができる。
【００４３】
また、両指圧ローラ１３、１３の突起２１は、その突出高さが指圧ローラ１３の先端部に向かって高くなっているので、被マッサージ部２０は、その表面に対する押し付け量が大きい指圧ローラ１３の先端部分から、押し付け量の小さい両指圧ローラ１３間（ハンドル取り付け部１４）の中央側へ引き寄せられる。
【００４４】
この被マッサージ部の引き寄せにより、揉み作用をさらに発生させることができ、両指圧ローラ１３、１３の各突起２１による指圧作用とともに一層マッサージ効果を高めることができる。
【００４５】
なお、両指圧ローラを図６に示す状態のまま、マッサージ具１０を図６中の矢印ｅと反対方向に移動させてもよい。この場合、両指圧ローラ１３、１３により被マッサージ部２０が、両支持軸１２、１２の先端部に向かって引き伸ばされて、被マッサージ部２０をマッサージすることができる。
【図面の簡単な説明】
【００４６】
【図１】実施形態のマッサージ具を示す斜視図
【図２】同上のマッサージ具を示す正面図
【図３】（ａ）同上の指圧ローラを示す側面図、（ｂ）（ａ）のｂ−ｂ線における断面図
【図４】同上のハンドルとハンドル取り付け部を示す一部切り欠き分解斜視図
【図５】同上のハンドルとハンドル取り付け部を示す一部切り欠き断面図
【図６】同上の使用状態を示す上面図
【図７】同上の使用状態を示す斜視図
【図８】同上の使用状態を示す側面図
【符号の説明】
【００４７】
１０  マッサージ具
１１  ハンドル
１２  支持軸
１３  指圧ローラ
１４  ハンドル取り付け部
１５  滑り止め凹部
１６  ヘッド部
１７  基部
１８  座板
１９  留め具
２０  被マッサージ部
２１  突起
２２  ねじ部
２３  ストッパー
２４  円形凹部
２５  爪付き円板
２６  爪
２７  ボルト
２８  孔
２９  切り欠き
３０  取り付け孔
【図１】
0003130848.tif 000003
【図２】
0003130848.tif 000004
【図３】
0003130848.tif 000005
【図４】
0003130848.tif 000006
【図５】
0003130848.tif 000007
【図６】
0003130848.tif 000008
【図７】
0003130848.tif 000009
【図８】
0003130848.tif 000010